(57)【特許請求の範囲】
【請求項１】
入力系統と、複数の出力系統のうちの一部または全部の前記出力系統と、の接続状態を選択的に切り替えるマトリクススイッチャであって、
前記接続状態ごとに設定された複数のキャラクタを記憶する記憶部と、
前記接続状態を選択的に切り替える切替部と、
前記切替部により切り替えられた前記接続状態に対応する前記入力系統と前記出力系統とを接続する接続部と、
複数の前記キャラクタのうち、前記接続部により接続された前記入力系統と前記出力系統との前記接続状態に対応するキャラクタを表示する表示部と、
前記切替部により切り替えられた前記接続状態に対応する前記キャラクタを、前記記憶部から読み出して前記表示部に表示させる表示制御部と、
を有してなり、
前記表示部は、前記キャラクタが表示される表示領域を備え、
前記表示領域は、複数の個別領域を備え、
前記個別領域は、複数の画素が配列された領域であり、
前記キャラクタは、複数の前記個別領域を組み合わせて構成され、
前記個別領域の組合せは、前記接続状態ごとに異なる、
ことを特徴とするマトリクススイッチャ。
【請求項２】
前記表示領域は、Ｍ行Ｎ列に配列された複数の画素を備え、
前記個別領域は、ｍ行Ｎ列（１≦ｍ≦Ｍ）に配列された複数の画素を備える、
請求項１記載のマトリクススイッチャ。
【請求項３】
前記表示領域は、Ｍ行Ｎ列に配列された複数の画素を備え、
前記個別領域は、Ｍ行ｎ列（１≦ｎ≦Ｎ）に配列された複数の画素を備える、
請求項１記載のマトリクススイッチャ。
【請求項４】
前記表示領域が備える複数の前記画素のうち一部の前記画素は、前記入力系統に接続される前記出力系統が複数の前記出力系統のうち一部の前記出力系統のときにのみ発光しない、
請求項１記載のマトリクススイッチャ。
【請求項５】
前記表示領域が備える複数の前記画素のうち一部の前記画素は、前記入力系統に接続される前記出力系統が複数の前記出力系統のいずれであっても発光しない、
請求項１記載のマトリクススイッチャ。
【請求項６】
前記表示領域が備える複数の前記画素のうち一部の前記画素は、前記入力系統に接続される前記出力系統が複数の前記出力系統のいずれであっても発光する、
請求項１記載のマトリクススイッチャ。
【請求項７】
前記表示領域が備える複数の前記画素のうち、第ｐ行目（１<ｐ<Ｍ）に配列された前記画素は、前記入力系統に接続される前記出力系統が複数の前記出力系統のいずれであっても発光しない、
請求項２記載のマトリクススイッチャ。
【請求項８】
前記表示領域が備える複数の前記画素のうち、第ｐ行目（１<ｐ<Ｍ）に配列された前記画素は、前記入力系統に接続される前記出力系統が複数の前記出力系統のいずれであっても発光する、
請求項２記載のマトリクススイッチャ。
【請求項９】
前記表示領域が備える複数の前記画素のうち、第ｑ列目（１<ｑ<Ｎ）に配列された前記画素は、前記入力系統に接続される前記出力系統が複数の前記出力系統のいずれであっても発光しない、
請求項３記載のマトリクススイッチャ。
【請求項１０】
前記表示領域が備える複数の前記画素のうち、第ｑ列目（１<ｑ<Ｎ）に配列された前記画素は、前記入力系統に接続される前記出力系統が複数の前記出力系統のいずれであっても発光する、
請求項３記載のマトリクススイッチャ。
【請求項１１】
前記出力系統は、第１出力系統と第２出力系統とを備え、
前記表示領域は、８行５列に配列された複数の前記画素を備え、
複数の前記個別領域は、
第１行目から第３行目までに配列された第１列目から第５列目までの前記画素が配列された第１個別領域と、
第６行目から第８行目までに配列された第１列目から第５列目までの前記画素が配列された第２個別領域と、
を備え、
前記表示制御部は、
前記入力系統が前記第１出力系統に接続されているとき、前記第１個別領域が備える前記画素を発光させず、
前記入力系統が前記第２出力系統に接続されているとき、前記第２個別領域が備える前記画素を発光させない、
請求項１記載のマトリクススイッチャ。
【請求項１２】
第４行目と第５行目とに配列された第１列目から第５列目までの前記画素は、前記入力系統が前記第１出力系統と前記第２出力系統とのいずれに接続されたときも発光する、
請求項１１記載のマトリクススイッチャ。
【請求項１３】
出力系統と、複数の入力系統のうちの一部または全部の前記入力系統と、の接続状態を選択的に切り替えるマトリクススイッチャであって、
前記接続状態ごとに設定された複数のキャラクタを記憶する記憶部と、
前記接続状態を選択的に切り替える切替部と、
前記切替部により切り替えられた前記接続状態に対応する前記入力系統と前記出力系統とを接続する接続部と、
複数の前記キャラクタのうち、前記接続部により接続された前記入力系統と前記出力系統との前記接続状態に対応するキャラクタを表示する表示部と、
前記切替部により切り替えられた前記接続状態に対応する前記キャラクタを、前記記憶部から読み出して前記表示部に表示させる表示制御部と、
を有してなり、
前記表示部は、前記キャラクタが表示される表示領域を備え、
前記表示領域は、複数の個別領域を備え、
前記個別領域は、複数の画素が配列された領域であり、
前記キャラクタは、複数の前記個別領域を組み合わせて構成され、
前記個別領域の組合せは、前記接続状態ごとに異なる、
ことを特徴とするマトリクススイッチャ。
【発明の詳細な説明】
【技術分野】
【０００１】
本発明は、マトリクススイッチャに関する。
【背景技術】
【０００２】
図１５は、従来のマトリクススイッチャ１Ｘの表示部５０Ｘに表示される、入力機器と出力機器との接続状態を示す表示例の模式図である。
マトリクススイッチャ１Ｘは、映像信号や音声信号などの電気信号を扱う放送施設などにおいて、入力機器から入力される電気信号（入力電気信号）の切り替えや分配を行い、出力機器に出力する。マトリクススイッチャ１Ｘは、１または複数の入力機器と、１または複数の出力機器との間に配置され、任意の入力機器に対応する入力系統の信号線と、任意の出力機器に対応する出力系統の信号線と、のクロスポイントを接続する。これにより、マトリクススイッチャ１Ｘは、電気信号の流路を制御して、入力機器と出力機器との接続状態を選択的に切り替える。マトリクススイッチャ１Ｘは、切替部（不図示）と、入力系統（不図示）と、出力系統（不図示）と、表示部５０Ｘと、を備える。
【０００３】
切替部は、入力系統と出力系統との接続状態を切り替えることにより、入力機器と出力機器との接続を切り替える。切替部は、例えば、スイッチなどの操作ボタンである。
【０００４】
入力系統は、入力機器からの入力信号（電気信号）を受信する。出力系統は、入力系統からの入力信号を出力機器へ出力する。
【０００５】
表示部５０Ｘは、複数のキャラクタを表示する、キャラクタディスプレイである。表示部５０Ｘは、行・列に配列された複数の表示領域５００Ｘを備える。「キャラクタディスプレイ」は、キャラクタコード（文字コード）で決められたキャラクタを表示する液晶ディスプレイである。「文字コード」は、例えば、ＡＳＣＩＩコードである。表示部は、各表示領域に各キャラクタを表示する、文字コードの組合せにより、入力系統と出力系統との接続状態を表示する。
【０００６】
同図は、４行１６列（８４個）に配置された表示領域５００Ｘそれぞれにキャラクタが表示され、入力系統と出力系統との接続状態が表示部５０Ｘに表示されていることを示す。
【０００７】
同図に示される「ｏｕｔ０１」は出力系統「１」を意味し、「ｏｕｔ０２」は出力系統「２」を意味し、「ｏｕｔ０３」は出力系統「３」を意味し、「ｏｕｔ０４」は出力系統「４」を意味し、「ｏｕｔ０５」は出力系統「５」を意味し、「ｏｕｔ０６」は出力系統「６」を意味し、「ｏｕｔ０７」は出力系統「７」を意味し、「ｏｕｔ０８」は出力系統「８」を意味する。
【０００８】
また、同図に示される表示例は、出力系統「１」には入力系統「１」が接続されていることを示し、出力系統「２」には入力系統「２」が接続されていることを示し、出力系統「３」には入力系統「３」が接続されていることを示し、出力系統「４」には入力系統「４」が接続されていることを示し、出力系統「５」には入力系統「５」が接続されていることを示し、出力系統「６」には入力系統「６」が接続されていることを示し、出力系統「７」には入力系統「７」が接続されていることを示し、出力系統「８」には入力系統「１」が接続されていることを示す。
【０００９】
マトリクススイッチャ１Ｘを使用するユーザは、表示部５０Ｘに表示される表示を見ることにより、いずれの出力系統にいずれの入力系統が接続されているかを視認できる。しかし、従来のマトリクススイッチャ１Ｘの表示部５０Ｘに表示される表示は、異なる出力系統に共通の入力機器が接続されている場合、ユーザにとって、一目見ただけではその接続状態が分かりにくい。すなわち、例えば、出力系統「１」，「８」には、ともに入力系統「１」が接続されているが、一目見ただけではその接続状態が分かりにくい。つまり、表示部５０Ｘに表示される表示の視認性は、低い。
【００１０】
そこで、接続状態の視認性を高めるマトリクススイッチャとして、任意の入力機器に対応する入力系統の信号線と、任意の出力機器に対応する出力系統の信号線と、のクロスポイントに対応する操作ボタンを備えるマトリクススイッチャが提案されている（例えば、特許文献１参照）。
【先行技術文献】
【特許文献】
【００１１】
【特許文献１】特開２０１９‐１２１９１６号公報
【００１２】
特許文献１に開示されたマトリクススイッチャは、切替部（操作部）と表示部とを備える。
【００１３】
切替部は、入力系統と出力系統との接続状態を切り替えることにより、入力機器と出力機器との接続を切り替える。切替部は、例えば、スイッチなどの操作ボタンである。操作ボタンは、複数の出力機器に対応する出力系統を縦方向に、複数の入力機器に対応する入力系統を横方向にして、それぞれのクロスポイントに配置された操作ボタンである。すなわち、特許文献１に開示されたマトリクススイッチャは、二次元マトリクス状に配置された複数の操作ボタンを備える。
【００１４】
表示部は、入力系統と出力系統との接続状態を表示する。表示部は、複数の発光体を備える。発光体は、入力系統と出力系統との接続状態に応じて発光する。各発光体は、切替部（各操作ボタン）の内部に配置される。
【００１５】
特許文献１に開示されたマトリクススイッチャでは、ユーザが切替部を操作することにより、切替部の内部に配置された各発光体の点灯や消灯などの発光態様は変化する。ユーザは、切替部を通して発光体の発光態様を視認することにより、いずれの出力系統にいずれの入力系統が接続されているか否かを視認できる。すなわち、表示部の表示は、直感的である。そのため、特許文献１に開示されたマトリクススイッチャでは、二次元マトリクス状に配置された切替部を通して発光体の発光態様を視認できるため、表示部の視認性は、高い。ただし、特許文献１に開示されたマトリクススイッチャは、二次元マトリクス状に複数の切替部と発光部とを配置する必要があるため、マトリクススイッチャの表示部の大型化につながる。また、特許文献１に開示されたマトリクススイッチャは、切替部の数だけ発光部が必要となるため、コストの増加につながる。
【発明の概要】
【発明が解決しようとする課題】
【００１６】
本発明は、表示部にキャラクタディスプレイを使用したマトリクススイッチャにおいて、入力系統と出力系統との接続状態の視認性の高いマトリクススイッチャを提供することを目的とする。
【課題を解決するための手段】
【００１７】
本発明に係るマトリクススイッチャは、入力系統と、複数の出力系統のうちの一部または全部の出力系統と、の接続状態を選択的に切り替えるマトリクススイッチャであって、接続状態ごとに設定された複数のキャラクタを記憶する記憶部と、接続状態を選択的に切り替える切替部と、切替部により切り替えられた接続状態に対応する入力系統と出力系統とを接続する接続部と、複数のキャラクタのうち、接続部により接続された入力系統と出力系統との接続状態に対応するキャラクタを表示する表示部と、切替部により切り替えられた接続状態に対応するキャラクタを、記憶部から読み出して表示部に表示させる表示制御部と、を有してなり、表示部は、キャラクタが表示される表示領域を備え、表示領域は、複数の個別領域を備え、個別領域は、複数の画素が配列された領域であり、キャラクタは、複数の個別領域を組み合わせて構成され、個別領域の組合せは、接続状態ごとに異なる、ことを特徴とする。
【発明の効果】
【００１８】
本発明は、表示部にキャラクタディスプレイを使用したマトリクススイッチャにおいて、入力系統と出力系統との接続状態の視認性の高いマトリクススイッチャを提供する。
【図面の簡単な説明】
【００１９】
【図１】本発明に係るマトリクススイッチャの実施の形態を示すネットワーク構成図である。
【図２】図１のマトリクススイッチャの機能ブロック図である。
【図３】図１のマトリクススイッチャが備える表示部の模式図である。
【図４】図３の表示部が備える表示領域に配置された画素の模式図である。
【図５】図３の表示部に表示される、入力系統と出力系統との接続状態を示す表示例の模式図である。
【図６】図１のマトリクススイッチャが備える記憶部に記憶されるキャラクタの例を示す模式図である。
【図７】図６のキャラクタを表示領域に表示する際の画素の発光例を示す模式図である。
【図８】図５の表示例を構成する一部の表示領域の画素の発光例示す模式図である。
【図９】図３の表示部に表示される表示例を構成する一部の表示領域の画素の別の発光例を示す模式図である。
【図１０】図３の表示部に表示される表示例を構成する一部の表示領域の画素のさらに別の発光例を示す模式図である。
【図１１】表示領域に表示されるキャラクタの別の例を示す表示領域の画素の発光例の模式図である。
【図１２】表示領域に表示されるキャラクタのさらに別の例を示す表示領域の画素の発光例の模式図である。
【図１３】表示領域に表示されるキャラクタのさらに別の例を示す表示領域の画素の発光例の模式図である。
【図１４】表示領域に表示されるキャラクタのさらに別の例を示す表示領域の画素の発光例の模式図である。
【図１５】従来のマトリクススイッチャが備える表示部に表示される、入力機器と出力機器との接続状態を示す表示例の模式図である。
【００２０】
本発明に係るマトリクススイッチャの実施の形態は、以下に説明される。
【００２１】
●マトリクススイッチャ●
●マトリクススイッチャのネットワーク構成
図１は、本発明に係るマトリクススイッチャの実施の形態を示すネットワーク構成図である。
同図は、マトリクススイッチャが２つの入力機器と２つの出力機器とに接続されている状態を示す。
【００２２】
マトリクススイッチャ１は、映像信号や音声信号などの電気信号を扱う放送施設などにおいて、複数の入力機器１００（入力機器１００ａ，入力機器１００ｂ）と、複数の出力機器２００（出力機器２００ａ，出力機器２００ｂ）との間に配置され、任意の入力機器１００（入力機器１００ａ，入力機器１００ｂ）に対応する入力系統１０（入力系統１０ａ，入力系統１０ｂ）（図２参照）の信号線と、任意の出力機器２００（出力機器２００ａ，出力機器２００ｂ）に対応する出力系統２０（出力系統２０ａ，出力系統２０ｂ）（図２参照）の信号線と、のクロスポイントを接続する。マトリクススイッチャ１は、入力機器１００（入力機器１００ａ，入力機器１００ｂ）から入力される電気信号（入力電気信号）の切り替えや分配を行い、出力機器２００（出力機器２００ａ，出力機器２００ｂ）に出力する。これにより、マトリクススイッチャ１は、電気信号の流路を制御して、入力機器１００（入力機器１００ａ，入力機器１００ｂ）と出力機器２００（出力機器２００ａ，出力機器２００ｂ）との接続状態を選択的に切り替える。
【００２３】
以下の説明において、各入力機器１００ａ，１００ｂのそれぞれを区別して説明する必要がないとき、それぞれを「入力機器１００」と総称する。各出力機器２００ａ，２００ｂのそれぞれを区別して説明する必要がないとき、それぞれを「出力機器２００」と総称する。各入力系統１０ａ，１０ｂのそれぞれを区別して説明する必要がないとき、それぞれを「入力系統１０」と総称する。各出力系統２０ａ，２０ｂのそれぞれを区別して説明する必要がないとき、それぞれを「出力系統２０」と総称する。
【００２４】
入力機器１００は、例えば、ビデオカメラ、マイクロホン、ＶＴＲ（Videotape recorder）など、電気信号を生成する機器である。同電気信号は、マトリクススイッチャ１に入力される。マトリクススイッチャ１は、同電気信号を出力機器２００に出力する。出力機器２００は、例えば、他のスイッチャ、モニタ、スピーカなど、マトリクススイッチャ１から入力された電気信号を表示その他出力する機器である。
【００２５】
なお、入力機器の数と、出力機器の数とは、「２」に限らない。すなわち、例えば、入力機器の数と、出力機器の数とは、「１」または「３以上」でもよい。また、入力機器の数は、出力機器の数と異なってもよい。
【００２６】
●マトリクススイッチャの構成
図２は、マトリクススイッチャ１の機能ブロック図である。
マトリクススイッチャ１は、入力系統１０と、出力系統２０と、切替部３０と、接続部４０と、表示部５０と、記憶部６０と、制御部７０と、を有してなる。
【００２７】
入力系統１０は、入力機器１００から出力された電気信号を受信し、同電気信号を接続部４０へ供給する。入力系統１０は、個別の入力系統１０ａと入力系統１０ｂとを備える。
【００２８】
入力系統１０ａは、入力機器１００ａの出力端子（不図示）と接続される入力端子（不図示）を備える。入力系統１０ｂは、入力機器１００ｂの出力端子（不図示）と接続される入力端子（不図示）を備える。
【００２９】
出力系統２０は、接続部４０を介して入力系統１０からの電気信号を受信し、同電気信号を出力機器２００へ供給する。すなわち、入力機器１００からマトリクススイッチャ１に入力された電気信号は、マトリクススイッチャ１から出力機器２００に出力される。出力系統２０は、個別の出力系統２０ａと出力系統２０ｂとを備える。
【００３０】
出力系統２０ａは、出力機器２００ａの入力端子（不図示）と接続される出力端子（不図示）を備える。出力系統２０ｂは、出力機器２００ｂの入力端子（不図示）と接続される出力端子（不図示）を備える。
【００３１】
切替部３０は、入力系統１０と出力系統２０との接続状態を選択的に切り替えることにより、入力機器１００と出力機器２００との接続状態を切り替える手段である。切替部３０は、例えば、スイッチなどの操作ボタンである。切替部３０は、ユーザの操作に応じて選択信号を生成し、同選択信号を制御部７０に入力する。「ユーザ」は、マトリクススイッチャ１の使用者である。「選択信号」は、ユーザの操作により選択された入力系統１０と出力系統２０との接続の切り替えを制御部７０に通知する信号である。ユーザにより切替部３０が操作されると、入力系統１０と出力系統２０との接続の切り替えが実行される。その結果、入力系統１０と出力系統２０との接続状態が切り替わる。
【００３２】
接続部４０は、制御部７０からの制御信号に基づいて、切替部３０により切り替えられた接続状態に対応する入力系統１０と出力系統２０とを接続し、あるいは、接続状態が切り替えられる前の接続状態に対応する入力系統１０と出力系統２０との接続を解除する。接続部は、例えば、選択的接続回路（セレクタ）である。
【００３３】
「制御信号」は、切替部３０からの選択信号に基づいて、ユーザにより選択された入力系統１０（１０ａ，１０ｂ）と、ユーザにより選択された出力系統２０（２０ａ，２０ｂ）と、を接続部４０に接続させる信号、あるいは、接続状態が切り替えられる前の接続状態に対応する入力系統１０（１０ａ，１０ｂ）と出力系統２０（２０ａ，２０ｂ）との接続を解除（切断）させる信号である。制御信号は、制御部７０から接続部４０へ入力される。
【００３４】
表示部５０は、複数のキャラクタを表示すると共に、制御部７０からの表示信号に基づいて、複数のキャラクタのうち、接続部４０により接続された入力系統１０と出力系統２０との接続状態に対応するキャラクタを表示する。表示部５０は、例えば、キャラクタディスプレイである。
【００３５】
「表示信号」は、ユーザにより選択された入力系統１０と出力系統２０との接続や、同接続から他の接続への切り替え、すなわち、入力系統１０と出力系統２０との接続状態を表示部５０に表示させる（表示部５０の表示状態を変更させる）信号である。
【００３６】
表示部５０の表示態様は、接続部４０により接続された入力系統１０と出力系統２０との接続状態に対応する。すなわち、表示部５０は、表示部５０の表示態様により、接続部４０により接続された入力系統１０と出力系統２０との接続状態をユーザに視認させる。
【００３７】
「キャラクタディスプレイ」は、キャラクタコード（文字コード）で決められたキャラクタと、キャラクタジェネレータＲＡＭ（以下「ＣＧＲＡＭ」という。）に登録された任意のキャラクタと、を表示する液晶ディスプレイである。「キャラクタコード」は、例えば、ＡＳＣＩＩコードである。「ＣＧＲＡＭに登録された任意のキャラクタ」は、キャラクタコードで決められたキャラクタ以外のキャラクタであって、ユーザにより登録されたオリジナルのキャラクタである。「ユーザにより登録されたオリジナルのキャラクタ」は、後述される。キャラクタディスプレイは、アルファベットや記号、カタカナなど、キャラクタコードで決められたキャラクタの他に、ユーザのオリジナルのキャラクタを表示できる。
【００３８】
なお、表示部（キャラクタディスプレイ）は、液晶ディスプレイに限られない。すなわち、例えば、表示部は、蛍光表示管や、有機ＥＬ（Electro-Luminescence）を利用したディスプレイでもよい。
【００３９】
表示部５０は、複数の表示領域５００（図３参照）を備える。表示部５０の具体的構成と、表示領域５００とは、後述される。
【００４０】
記憶部６０は、例えば、キャラクタコードで決められたキャラクタと共に、接続状態ごとに設定（登録）された複数のキャラクタを記憶する。記憶部６０は、ＣＧＲＡＭを備える。接続状態ごとに設定されたキャラクタは、後述される。
【００４１】
制御部７０は、マトリクススイッチャ１全体の動作を制御すると共に、切替部３０からの選択信号に基づいて制御信号と表示信号とを生成する。制御部７０は、制御信号を用いて切替部３０により切り替えられた接続状態に対応する入力系統１０と出力系統２０とを接続部４０に接続させる。制御部７０は、表示信号を用いて切替部３０により切り替えられた接続状態に対応するキャラクタを、記憶部６０から読み出して表示部５０に表示させる。
【００４２】
制御部７０は、例えば、ＣＰＵ（Central Processing Unit）などのマイクロプロセッサなどから構成される。制御部７０は、本発明における表示制御部の例である。
【００４３】
●表示部の構成
図３は、表示部５０の模式図である。
同図は、表示部５０に表示領域５００が４行１０列に配置されていることを示す。
【００４４】
以下の説明において、各表示領域の構成は共通する。そのため、以下の説明は、各表示領域には共通の符号を付して説明する。
【００４５】
表示部５０は、前述のとおり、複数の表示領域５００を備える。表示部５０は、４行１０列に配列された４０個の表示領域５００を備える。各表示領域５００は、キャラクタを表示する。各表示領域５００は、複数の画素（ドット）Ｐを備える。
【００４６】
なお、表示部に配列される表示領域の数は、４行１０列に配置された４０個に限られない。すなわち、例えば、表示部に配列される表示領域の数は、４行１６列に配置された６４個、２行４０列に配置された８０個、４行４０列に配置された１６０個、など、任意である。
【００４７】
図４は、表示領域５００に配置された画素の模式図である。
【００４８】
表示領域５００は、Ｍ行Ｎ列に配置された複数の画素Ｐを備える。
以下の説明において、表示領域５００は、８行５列（Ｍ＝８、Ｎ＝５）に配置された４０個の画素Ｐ（画素Ｐ１−Ｐ４０）を備える。
【００４９】
以下の説明において、各画素Ｐ１−Ｐ４０のそれぞれを区別して説明する必要がないとき、それぞれを「画素Ｐ」と総称する。
【００５０】
図４は、１行目に５つの画素Ｐ（画素Ｐ１−Ｐ５）が配列され、２行目に５つの画素Ｐ（画素Ｐ６−Ｐ１０）が配列され、３行目に５つの画素Ｐ（画素Ｐ１１−Ｐ１５）が配列され、４行目に５つの画素Ｐ（画素Ｐ１６−Ｐ２０）が配列され、５行目に５つの画素Ｐ（画素Ｐ２１−Ｐ２５）が配列され、６行目に５つの画素Ｐ（画素Ｐ２６−Ｐ３０）が配列され、７行目に５つの画素Ｐ（画素Ｐ３１−Ｐ３５）が配列され、８行目に５つの画素Ｐ（画素Ｐ３６−Ｐ４０）が配列されていることを示す。
【００５１】
画素Ｐは、例えば、光源からの光の透過状態（透過率）を調整して、光源からの光の状態を表示する。光源は、例えば、ＬＥＤ（Light Emitting Diode）などのバックライトや、外部光である。各画素Ｐ１−Ｐ４０それぞれに到達する光源からの光の透過状態を調整することで、各画素Ｐは、光源からの光の状態を表示する。光の透過状態の調整は、例えば、光の通過と光の遮断との切替えである。すなわち、例えば、光が遮断された画素は、光源からの光を通過させない。その結果、その画素は、黒い表示になる。光が通過する画素は、光源からの光を遮断しない。その結果、その画素は、光源からの光に応じた色の表示（例えば、白色）になる。
【００５２】
光源からの光が通過する画素の表示状態は、本発明における「画素が発光する」ことの例である。なお、液晶ディスプレイにおいて、画素自体は発光しないが、本発明において、光源からの光が通過する画素の表示状態を、「画素が発光する」と定義する。
【００５３】
光源からの光が遮断される画素の表示状態は、本発明における「画素が発光しない」ことの例である。なお、液晶ディスプレイにおいて、画素自体は発光しないが、本発明において、光源からの光が遮断される画素の表示状態を、「画素が発光しない」と定義する。
【００５４】
なお、表示領域が備える画素は、８行５列（Ｍ＝８、Ｎ＝５）に配置された４０個の画素に限られない。すなわち、本発明において、表示領域が備える画素の配列・数は、任意である。
【００５５】
●表示部の表示例
図５は、入力系統１０と出力系統２０との接続状態を示す表示部５０の表示例の模式図である。
【００５６】
１行目の表示領域５００の上方（図５における紙面上方）で、第１列−第２列に対応する位置に表示された「ＯＵＴＰＵＴ」の文字は、説明の便宜上で表示された文字であり、実際には表示部５０に表示されない。
【００５７】
「ＯＵＴＰＵＴ」の文字の下方で第１列−第２列の表示領域５００に表示された「１」−「８」の文字は、表示領域５００に表示されるキャラクタの例である。このキャラクタは、記憶部６０に記憶されている。また、同「１」−「８」の文字は、出力系統２０の番号を示す。マトリクススイッチャ１は、８つの個別の出力系統２０を備える。図５は、１行の表示領域５００で２つの出力系統２０ごとの入力系統１０との接続状態を示す。
【００５８】
１行目の表示領域５００の上方で、第３列−第１０列に対応する位置に表示された「１」−「８」の文字は、説明の便宜上で表示された数字であり、実際には表示部５０に表示されない。同文字は、入力系統１０の番号を示す。マトリクススイッチャ１は、８つの個別の入力系統１０を備える。
【００５９】
このように、１行目の表示領域５００は、出力系統「１」「２」と、入力系統「１」−「８」と、の間の接続状態を示す。２行目の表示領域５００は、出力系統「３」「４」と、入力系統「１」−「８」と、の間の接続状態を示す。３行目の表示領域５００は、出力系統「５」「６」と、入力系統「１」−「８」と、の間の接続状態を示す。４行目の表示領域５００は、出力系統「７」「８」と、入力系統「１」−「８」と、の間の接続状態を示す。
【００６０】
３列目の表示領域５００は、出力系統「１」−「８」と、入力系統「１」と、の間の接続状態を示す。４列目の表示領域５００は、出力系統「１」−「８」と、入力系統「２」と、の間の接続状態を示す。５列目の表示領域５００は、出力系統「１」−「８」と、入力系統「３」と、の間の接続状態を示す。６列目の表示領域５００は、出力系統「１」−「８」と、入力系統「４」と、の間の接続状態を示す。７列目の表示領域５００は、出力系統「１」−「８」と、入力系統「５」と、の間の接続状態を示す。８列目の表示領域５００は、出力系統「１」−「８」と、入力系統「６」と、の間の接続状態を示す。９列目の表示領域５００は、出力系統「１」−「８」と、入力系統「７」と、の間の接続状態を示す。１０列目の表示領域５００は、出力系統「１」−「８」と、入力系統「８」と、の間の接続状態を示す。
【００６１】
同図中、第３列−第１０列の表示領域５００は、入力系統１０と出力系統２０との接続状態を表示する表示領域である。入力系統１０と出力系統２０との接続状態の違いは、表示領域５００内の黒塗りの矩形枠の位置の違いで示される。換言すれば、表示領域５００に表示される複数のキャラクタは、表示領域５００内の黒塗りの矩形枠の位置を異ならせて表示される。これらのキャラクタは、あらかじめ記憶部６０に記憶されている。
【００６２】
同図は、表示領域５００に表示されるキャラクタとして、表示領域５００の上部に黒塗りの矩形枠が配置されたキャラクタと、表示領域５００の下部に黒塗りの矩形枠が配置されたキャラクタと、表示領域５００の上部と下部とに黒塗りの矩形枠が配置されたキャラクタと、があることを示す。
【００６３】
ある行（第１行−第４行）とある列（第３列−第１０列）との交差する位置に配置された表示領域５００の上部には、その行の「ＯＵＴＰＵＴ」の左側に表示された出力系統２０と、その列に対応する入力系統１０と、が接続しているとき、黒塗りの矩形枠が表示される。換言すれば、その表示領域５００は、上部に黒塗りの矩形枠が配置されたキャラクタを表示する。すなわち、例えば、１行目と３列目との交差する位置に配置された表示領域５００は、上部に黒塗りの矩形枠が配置されたキャラクタを表示している。つまり、出力系統「１」と入力系統「１」とが接続していることを示す。
【００６４】
ある行（第１行−第４行）とある列（第３列−第１０列）との交差する位置に配置された表示領域５００の下部には、その行の「ＯＵＴＰＵＴ」の右側に表示された出力系統２０と、その列に対応する入力系統１０と、が接続しているとき、黒塗りの矩形枠が表示される。換言すれば、その表示領域５００は、下部に黒塗りの矩形枠が配置されたキャラクタを表示する。すなわち、例えば、１行目と４列目との交差する位置に配置された表示領域５００は、下部に黒塗りの矩形枠が配置されたキャラクタを表示している。つまり、出力系統「２」と入力系統「２」とが接続していることを示す。
【００６５】
ある行（第１行−第４行）とある列（第３列−第１０列）との交差する位置に配置された表示領域５００の上部と下部とには、その行の「ＯＵＴＰＵＴ」の左側の出力系統２０および右側の出力系統２０と、その列に対応する入力系統１０と、が接続しているとき、黒塗りの矩形枠が表示される。換言すれば、その表示領域５００は、上部と下部とに黒塗りの矩形枠が配置されたキャラクタを表示する。すなわち、例えば、４行目と３列目との交差する位置に配置された表示領域５００は、上部と下部とに黒塗りの矩形枠が配置されたキャラクタを表示している。つまり、出力系統「７」「８」のそれぞれが入力系統「１」と接続していることを示す。
【００６６】
「ＯＵＴＰＵＴの左側の出力系統」は本発明における第１出力系統の例であり、「ＯＵＴＰＵＴの右側の出力系統」は本発明における第２出力系統の例である。
【００６７】
なお、表示部５０に配置された複数の表示領域５００において、各行に設定された出力系統の番号や、各列に設定された入力系統の番号は、マトリクススイッチャ１の設定手段（不図示）のユーザの操作により、設定されて記憶部６０に記憶される。表示部５０に配置された各表示領域５００の表示は、記憶部６０に記憶されているこれらの設定情報や、後述する入力系統１０と出力系統２０との接続状態とに応じて、制御部７０により制御される。
【００６８】
●表示領域の表示例（１）
図６は、記憶部６０に記憶されるキャラクタの例を示す模式図である。
【００６９】
図６（ａ）（ｂ）（ｃ）は、記憶部６０に記憶されているキャラクタのうち、ＣＧＲＡＭに登録されたキャラクタ、すなわち、ユーザにより登録されたオリジナルのキャラクタである。同図の各キャラクタは、入力系統１０と出力系統２０との接続状態ごとに設定（登録）されたキャラクタである。
【００７０】
同図に示される表示領域５００は、表示領域５００のうち、第３列−第１０列における、入力系統１０と出力系統２０との接続状態を表示する表示領域５００である。
【００７１】
図６（ａ）に示されるキャラクタは、例えば、図５の表示部５０の１行目の第３列の表示領域５００に表示されているキャラクタである。
【００７２】
図６（ｂ）に示されるキャラクタは、例えば、図５の表示部５０の１行目の第４列の表示領域５００に表示されているキャラクタである。
【００７３】
図６（ｃ）に示されるキャラクタは、例えば、図５の表示部５０の４行目の第３列の表示領域５００に表示されているキャラクタである。
【００７４】
図７は、図６のキャラクタが表示領域５００に表示される際の画素の発光例の模式図である。
図７（ａ）（ｂ）（ｃ）は、図６（ａ）（ｂ）（ｃ）に対応する。
【００７５】
以下の説明において、表示領域５００に表示されるキャラクタの表示例は、図４と共に説明される。前述のとおり、表示領域５００は、Ｍ行Ｎ列に配列された複数の画素を備える。図４において、Ｍ＝８、Ｎ＝５である。つまり、図４に示された表示領域５００は、画素Ｐ１−Ｐ４０の４０個の画素を備える。
【００７６】
ここで、表示領域５００は、第１個別領域と第２個別領域と第３個別領域との３つの個別領域を備える。すなわち、表示領域５００は、複数の個別領域を備える。個別領域は、１または複数の画素の集合（複数の画素が配列された領域）である。第１個別領域は、３行５列に配列された複数の画素Ｐ１−Ｐ１５の集合である。第２個別領域は、３行５列に配列された複数の画素Ｐ２６−Ｐ４０の集合である。第３個別領域は、２行５列に配列された複数の画素Ｐ１６−Ｐ２５の集合である。
【００７７】
表示領域５００に表示されるキャラクタは、各個別領域に含まれるｍ行Ｎ列（１≦ｍ≦Ｍ）の画素Ｐに到達する光源からの光を遮断して、表示される。
【００７８】
図７（ａ）に示されるように、「１つの表示領域５００の上部に黒塗りの矩形枠が配置されたキャラクタ」は、複数の画素Ｐ（画素Ｐ１−Ｐ４０）のうち、第１行−第３行それぞれの第１列−第５列に配置された画素Ｐ、つまり、３行５列の画素Ｐ１−Ｐ１５に到達する光源からの光を遮断して、表示される。換言すれば、８行５列で構成される複数の画素Ｐ（画素Ｐ１−Ｐ４０）のうち、第１個別領域を構成する３行５列に配列された画素Ｐ１−Ｐ１５は、発光しない（第２，３個別領域を構成する画素Ｐ１６−Ｐ４０のみ発光する）。
【００７９】
図７（ｂ）に示されるように、「１つの表示領域５００の下部に黒塗りの矩形枠が配置されたキャラクタ」は、複数の画素Ｐ（画素Ｐ１−Ｐ４０）のうち、第６行−第８行それぞれの第１列−第５列に配置された画素Ｐ、つまり、３行５列の画素Ｐ２６−Ｐ４０に到達する光源からの光を遮断して、表示される。換言すれば、８行５列で構成される複数の画素Ｐ（画素Ｐ１−Ｐ４０）のうち、第２個別領域を構成する３行５列に配列された画素Ｐ２６−Ｐ４０は、発光しない（第１，３個別領域を構成する画素Ｐ１−Ｐ２５のみ発光する）。
【００８０】
図７（ｃ）に示されるように、「１つの表示領域５００の上部と下部とに黒塗りの矩形枠が配置されたキャラクタ」は、複数の画素Ｐ（画素Ｐ１−Ｐ４０）のうち、第１行−第３行と第６行−第８行それぞれの第１列−第５列に配置された画素Ｐ１−Ｐ１５と、画素Ｐ２６−Ｐ４０と，に到達する光源からの光を遮断して、表示される。換言すれば、８行５列で構成される複数の画素Ｐ（画素Ｐ１−Ｐ４０）のうち、第１個別領域を構成する画素Ｐ１−Ｐ１５と、第２個別領域を構成する画素Ｐ２６−Ｐ４０とは、発光しない（第３個別領域を構成する２行５列に配列された画素Ｐ１６−Ｐ２５のみ発光する）。
【００８１】
このように、ユーザにより登録されるキャラクタのそれぞれは、３つの個別領域を組み合わせて構成される。
【００８２】
また、各個別領域の組み合わせは、接続状態ごとに異なる。
【００８３】
図８は、図５の表示部５０の表示例を構成する一部の表示領域５００の画素の発光例を示す模式図である。
同図は、複数の表示領域５００のうち、１行目の第１列−第４列の表示領域５００に表示されるキャラクタの表示例を拡大して示す。すなわち、同図に示されるキャラクタは、「１」「２」「１つの表示領域５００の上部に黒塗りの矩形枠が配置されたキャラクタ」「１つの表示領域５００の下部に黒塗りの矩形枠が配置されたキャラクタ」である。同図は、前述のとおり、出力系統「１」には入力系統「１」が接続されていることを示し、出力系統「２」には入力系統「２」が接続されていることを示す。
【００８４】
表示部５０の１行目の第１列の表示領域５００に表示される「１」のキャラクタは、複数の画素Ｐ（画素Ｐ１−Ｐ４０）のうち、画素Ｐ３，Ｐ７，Ｐ８，Ｐ１３，Ｐ１８，Ｐ２３，Ｐ２８，Ｐ３２，Ｐ３３，Ｐ３４に到達する光源からの光を遮断して、表示する。すなわち、複数の画素Ｐ（画素Ｐ１−Ｐ４０）のうち、画素Ｐ３，Ｐ７，Ｐ８，Ｐ１３，Ｐ１８，Ｐ２３，Ｐ２８，Ｐ３２，Ｐ３３，Ｐ３４は、発光しない。換言すれば、複数の画素Ｐ（画素Ｐ１−Ｐ４０）のうち、その他の画素Ｐ１，Ｐ２，Ｐ４，Ｐ５，Ｐ６，Ｐ９，Ｐ１０，Ｐ１１，Ｐ１２，Ｐ１４，Ｐ１５，Ｐ１６，Ｐ１７，Ｐ１９，Ｐ２０，Ｐ２１，Ｐ２２，Ｐ２４，Ｐ２５，Ｐ２６，Ｐ２７，Ｐ２９，Ｐ３０，Ｐ３１，Ｐ３５，Ｐ３６，Ｐ３７，Ｐ３８，Ｐ３９，Ｐ４０は、発光する。
【００８５】
表示部５０の１行目の第２列の表示領域５００に表示される「２」のキャラクタは、複数の画素Ｐ（画素Ｐ１−Ｐ４０）のうち、画素Ｐ２，Ｐ３，Ｐ４，Ｐ６，Ｐ１０，Ｐ１５，Ｐ１９，Ｐ２３，Ｐ２７，Ｐ３１，Ｐ３２，Ｐ３３，Ｐ３４，Ｐ３５に到達する光源からの光を遮断して、表示する。すなわち、複数の画素Ｐ（画素Ｐ１−Ｐ４０）のうち、画素Ｐ２，Ｐ３，Ｐ４，Ｐ６，Ｐ１０，Ｐ１５，Ｐ１９，Ｐ２３，Ｐ２７，Ｐ３１，Ｐ３２，Ｐ３３，Ｐ３４，Ｐ３５は、発光しない。換言すれば、複数の画素Ｐ（画素Ｐ１−Ｐ４０）のうち、その他の画素Ｐ１，Ｐ５，Ｐ７，Ｐ８，Ｐ９，Ｐ１１，Ｐ１２，Ｐ１３，Ｐ１４，Ｐ１６，Ｐ１７，Ｐ１８，Ｐ２０，Ｐ２１，Ｐ２２，Ｐ２４，Ｐ２５，Ｐ２６，Ｐ２８，Ｐ２９，Ｐ３０，Ｐ３６，Ｐ３７，Ｐ３８，Ｐ３９，Ｐ４０は、発光する。
【００８６】
表示部５０の１行目の第３列の表示領域５００に表示される「１つの表示領域５００の上部に黒塗りの矩形枠が配置されたキャラクタ」は、図６（ａ）に示されるキャラクタである。
【００８７】
表示部５０の１行目の第４列の表示領域５００に表示される「１つの表示領域５００の下部に黒塗りの矩形枠が配置されたキャラクタ」は、図６（ｂ）に示されるキャラクタである。
【００８８】
図９は、表示部５０に表示される表示例を構成する一部の表示領域５００の画素の別の発光例を示す模式図である。
同図は、出力系統「１」には入力系統「２」が接続されていることを示し、出力系統「２」には入力系統「１」が接続されていることを示す。
【００８９】
図９に示されるキャラクタは、「１」「２」「１つの表示領域５００の下部に黒塗りの矩形枠が配置されたキャラクタ」「１つの表示領域５００の上部に黒塗りの矩形枠が配置されたキャラクタ」である。
【００９０】
図１０は表示部５０に表示される表示例を構成する一部の表示領域５００の画素のさらに別の発光例を示す模式図である。
同図は、出力系統「１」には入力系統「２」が接続されていることを示し、出力系統「２」にも入力系統「２」が接続されていることを示す。すなわち、同図は、入力系統「２」は出力系統「１」「２」のいずれにも接続され、入力系統「１」は出力系統「１」「２」のいずれにも接続されていないことを示す。
【００９１】
入力系統「２」が出力系統「１」「２」のいずれにも接続されていることを示すキャラクタは、図６（ｃ）に示されるキャラクタである。
【００９２】
なお、複数の画素Ｐ（画素Ｐ１−Ｐ４０）のうち、第４行−第５行の画素Ｐ１６−Ｐ２５は、入力系統１０に接続される出力系統２０が複数の出力系統２０のいずれであっても発光する。一方、複数の画素Ｐ（画素Ｐ１−Ｐ４０）のうち、第１行−第３行に配列された画素Ｐ、または、第６行−第８行に配列された画素Ｐは、入力系統１０に接続される出力系統２０が複数の出力系統２０のうち、一部の出力系統２０のときにのみ発光しない。
【００９３】
入力系統「１」が出力系統「１」「２」のいずれにも接続されていないことを示すキャラクタは、複数の画素Ｐ（画素Ｐ１−Ｐ４０）のうち、画素Ｐ１−Ｐ４０に到達する光源からの光を通過させて、表示する。すなわち、全ての画素Ｐ１−Ｐ４０は、発光する。換言すれば、複数の画素Ｐ（画素Ｐ１−Ｐ４０）のうち、発光しない画素は、ない。
【００９４】
●表示領域の表示例（２）
図１１は、表示領域５００に表示されるキャラクタの別の例を示す表示領域５００の画素の発光例の模式図である。
同図（ａ）（ｂ）（ｃ）は、表示部５０が備える複数の表示領域５００のうち、表示部５０の第１行と第３列とが交差する位置に配置された、出力系統「１」「２」と、入力系統「１」との接続状態を表示する表示領域５００の画素の発光例である。
【００９５】
同図（ａ）は、出力系統「１」と入力系統「１」とが接続されている接続状態を示す。同図（ｂ）は、出力系統「２」と入力系統「１」とが接続されている接続状態を示す。同図（ｃ）は、出力系統「１」「２」と入力系統「１」とが接続されている接続状態を示す。
【００９６】
以下の説明において、表示領域５００の画素の発光例は、図４と共に説明される。
【００９７】
図１１（ａ）は、複数の画素Ｐ（画素Ｐ１−Ｐ４０）のうち、画素Ｐ１−Ｐ２５は、発光しないことを示す。その他の画素Ｐ２６−Ｐ４０は、発光する。
【００９８】
図１１（ｂ）は、複数の画素Ｐ（画素Ｐ１−Ｐ４０）のうち、画素Ｐ１６−Ｐ４０は、発光しないことを示す。その他の画素Ｐ１−Ｐ１５は、発光する。
【００９９】
図１１（ｃ）は、複数の画素Ｐ（画素Ｐ１−Ｐ４０）の全ての画素Ｐは、発光しないことを示す。
【０１００】
このように、複数の画素Ｐ（画素Ｐ１−Ｐ４０）のうち、第４行−第５行に配列された画素Ｐ１６−Ｐ２５は、入力系統１０に接続される出力系統２０が複数の出力系統２０のいずれであっても、発光しない。一方、複数の画素Ｐ（画素Ｐ１−Ｐ４０）のうち、第１行−第３行に配列された画素Ｐ１−Ｐ１５、または、第６行−第８行に配列された画素Ｐ２６−Ｐ４０は、入力系統１０に接続される出力系統２０が複数の出力系統２０のうち一部の出力系統２０のときにのみ、発光しない。
【０１０１】
ここで、表示領域５００は、第１個別領域と第２個別領域との２つの個別領域を備える。第１個別領域は、画素Ｐ１−Ｐ２５の集合である。第２個別領域は、画素Ｐ１６−Ｐ４０の集合である。
【０１０２】
●表示領域の表示例（３）
図１２は、表示領域５００に表示されるキャラクタのさらに別の例を示す表示領域５００の画素の発光例の模式図である。
同図（ａ）（ｂ）（ｃ）は、表示部５０が備える複数の表示領域５００のうち、表示部５０の第１行と第３列とが交差する位置に配置された、出力系統「１」「２」と、入力系統「１」との接続状態を表示する表示領域５００の画素の発光例である。
【０１０３】
同図（ａ）は、出力系統「１」と入力系統「１」とが接続されている接続状態を示す。同図（ｂ）は、出力系統「２」と入力系統「１」とが接続されている接続状態を示す。同図（ｃ）は、出力系統「１」「２」と入力系統「１」とが接続されている接続状態を示す。
【０１０４】
以下の説明において、表示領域５００の画素の発光例は、図４と共に説明される。
【０１０５】
図１２（ａ）は、複数の画素Ｐ（画素Ｐ１−Ｐ４０）のうち、画素Ｐ２，Ｐ３，Ｐ４，Ｐ７，Ｐ８，Ｐ９，Ｐ１２，Ｐ１３，Ｐ１４は、発光しないことを示す。その他の画素Ｐ１，Ｐ５，Ｐ６，Ｐ１０，Ｐ１１，Ｐ１５，Ｐ１６−Ｐ４０は、発光する。
【０１０６】
図１２（ｂ）は、複数の画素Ｐ（画素Ｐ１−Ｐ４０）のうち、画素Ｐ２７，Ｐ２８，Ｐ２９，Ｐ３２，Ｐ３３，Ｐ３４，Ｐ３７，Ｐ３８，Ｐ３９は、発光しないことを示す。その他の画素Ｐ１−Ｐ２５，Ｐ２６，Ｐ３０，Ｐ３１，Ｐ３５，Ｐ３６，Ｐ４０は、発光する。
【０１０７】
図１２（ｃ）は、複数の画素Ｐ（画素Ｐ１−Ｐ４０）のうち、画素Ｐ２，Ｐ３，Ｐ４，Ｐ７，Ｐ８，Ｐ９，Ｐ１２，Ｐ１３，Ｐ１４，Ｐ２７，Ｐ２８，Ｐ２９，Ｐ３２，Ｐ３３，Ｐ３４，Ｐ３７，Ｐ３８，Ｐ３９は、発光しないことを示す。その他の画素Ｐ１，Ｐ５，Ｐ６，Ｐ１０，Ｐ１１，Ｐ１５，Ｐ１６−Ｐ２０，Ｐ２６，Ｐ３０，Ｐ３１，Ｐ３５，Ｐ３６，Ｐ４０は、発光する。
【０１０８】
このように、複数の画素Ｐ（画素Ｐ１−Ｐ４０）のうち、第４行−第５行に配列された画素Ｐは、入力系統１０に接続される出力系統２０が複数の出力系統２０のいずれであっても発光する。また、複数の画素Ｐ（画素Ｐ１−Ｐ４０）のうち、第１列と第５列とに配列された画素Ｐは、入力系統１０に接続される出力系統２０が複数の出力系統２０のいずれであっても発光する。一方、複数の画素Ｐ（画素Ｐ１−Ｐ４０）のうち、画素Ｐ２，Ｐ３，Ｐ４，Ｐ７，Ｐ８，Ｐ９，Ｐ１２，Ｐ１３，Ｐ１４、または、画素Ｐ２７，Ｐ２８，Ｐ２９，Ｐ３２，Ｐ３３，Ｐ３４，Ｐ３７，Ｐ３８，Ｐ３９は、入力系統１０に接続される出力系統２０が複数の出力系統２０のうち一部の出力系統２０のときにのみ、発光しない。
【０１０９】
ここで、表示領域５００は、第１個別領域と第２個別領域と第３個別領域との３つの個別領域を備える。第１個別領域は、画素Ｐ２，Ｐ３，Ｐ４，Ｐ７，Ｐ８，Ｐ９，Ｐ１２，Ｐ１３，Ｐ１４の集合である。第２個別領域は、画素Ｐ２７，Ｐ２８，Ｐ２９，Ｐ３２，Ｐ３３，Ｐ３４，Ｐ３７，Ｐ３８，Ｐ３９の集合である。第３個別領域は、画素Ｐ１，Ｐ５，Ｐ６，Ｐ１０，Ｐ１１，Ｐ１５，Ｐ１６−Ｐ２５，Ｐ２６，Ｐ３０，Ｐ３１，Ｐ３５，Ｐ３６，Ｐ４０の集合である。
【０１１０】
●表示領域の表示例（４）
図１３は、表示領域５００に表示されるキャラクタのさらに別の例を示す表示領域５００の画素の発光例の模式図である。
同図（ａ）（ｂ）（ｃ）は、表示部５０が備える複数の表示領域５００のうち、表示部５０の第１行と第３列とが交差する位置に配置された、出力系統「１」「２」と、入力系統「１」との接続状態を表示する表示領域５００の画素の発光例である。
【０１１１】
同図（ａ）は、出力系統「１」と入力系統「１」とが接続されている接続状態を示す。同図（ｂ）は、出力系統「２」と入力系統「１」とが接続されている接続状態を示す。同図（ｃ）は、出力系統「１」「２」と入力系統「１」とが接続されている接続状態を示す。
【０１１２】
以下の説明において、表示領域５００の画素の発光例は、図４と共に説明される。表示領域５００に表示されるキャラクタは、各個別領域に含まれるＭ行ｎ列（１≦ｎ≦Ｎ）の画素Ｐに到達する光源からの光を遮断して、表示される。
【０１１３】
図１３（ａ）は、複数の画素Ｐ（画素Ｐ１−Ｐ４０）のうち、画素Ｐ１，Ｐ２，Ｐ６，Ｐ７，Ｐ１１，Ｐ１２，Ｐ１６，Ｐ１７，Ｐ２１，Ｐ２２，Ｐ２６，Ｐ２７，Ｐ３１，Ｐ３２，Ｐ３６，Ｐ３７は、発光しないことを示す。その他の画素Ｐ３，Ｐ４，Ｐ５，Ｐ８，Ｐ９，Ｐ１０，Ｐ１３，Ｐ１４，Ｐ１５，Ｐ１８，Ｐ１９，Ｐ２０，Ｐ２３，Ｐ２４，Ｐ２５，Ｐ２８，Ｐ２９，Ｐ３０，Ｐ３３，Ｐ３４，Ｐ３５，Ｐ３８，Ｐ３９，Ｐ４０は、発光する。
【０１１４】
図１３（ｂ）は、複数の画素Ｐ（画素Ｐ１−Ｐ４０）のうち、画素Ｐ４，Ｐ５，Ｐ９，Ｐ１０，Ｐ１４，Ｐ１５，Ｐ１９，Ｐ２０，Ｐ２４，Ｐ２５，Ｐ２９，Ｐ３０，Ｐ３４，Ｐ３５，Ｐ３９，Ｐ４０は、発光しないことを示す。その他の画素Ｐ１，Ｐ２，Ｐ３，Ｐ６，Ｐ７，Ｐ８，Ｐ１１，Ｐ１２，Ｐ１３，Ｐ１６，Ｐ１７，Ｐ１８，Ｐ２１，Ｐ２２，Ｐ２３，Ｐ２６，Ｐ２７，Ｐ２８，Ｐ３１，Ｐ３２，Ｐ３３，Ｐ３６，Ｐ３７，Ｐ３８は、発光する。
【０１１５】
図１３（ｃ）は、複数の画素Ｐ（画素Ｐ１−Ｐ４０）のうち、画素Ｐ１，Ｐ２，Ｐ４，Ｐ５，Ｐ６，Ｐ７，Ｐ９，Ｐ１０，Ｐ１１，Ｐ１２，Ｐ１４，Ｐ１５，Ｐ１６，Ｐ１７，Ｐ１９，Ｐ２０，Ｐ２１，Ｐ２２，Ｐ２４，Ｐ２５，Ｐ２６，Ｐ２７，Ｐ２９，Ｐ３０，Ｐ３１，Ｐ３２，Ｐ３４，Ｐ３５，Ｐ３６，Ｐ３７，Ｐ３９，Ｐ４０は、発光しないことを示す。その他の画素Ｐ３，Ｐ８，Ｐ１３，Ｐ１８，Ｐ２３，Ｐ２８，Ｐ３３，Ｐ３８は、発光する。
【０１１６】
このように、複数の画素Ｐ（画素Ｐ１−Ｐ４０）のうち、第３列に配列された画素Ｐは、入力系統１０に接続される出力系統２０が複数の出力系統２０のいずれであっても発光する。一方、複数の画素Ｐ（画素Ｐ１−Ｐ４０）のうち、第１列−第２列に配列された画素Ｐ、または、第４列−第５列に配列された画素Ｐは、入力系統１０に接続される出力系統２０が複数の出力系統２０のうち一部の出力系統２０のときにのみ、発光しない。
【０１１７】
ここで、表示領域５００は、第１個別領域と第２個別領域と第３個別領域との３つの個別領域を備える。第１個別領域は、画素Ｐ１，Ｐ２，Ｐ６，Ｐ７，Ｐ１１，Ｐ１２，Ｐ１６，Ｐ１７，Ｐ２１，Ｐ２２，Ｐ２６，Ｐ２７，Ｐ３１，Ｐ３２，Ｐ３６，Ｐ３７の集合である。第２個別領域は、画素Ｐ４，Ｐ５，Ｐ９，Ｐ１０，Ｐ１４，Ｐ１５，Ｐ１９，Ｐ２０，Ｐ２４，Ｐ２５，Ｐ２９，Ｐ３０，Ｐ３４，Ｐ３５，Ｐ３９，Ｐ４０の集合である。第３個別領域は、画素Ｐ３，Ｐ８，Ｐ１３，Ｐ１８，Ｐ２３，Ｐ２８，Ｐ３３，Ｐ３８の集合である。
【０１１８】
●表示領域の表示例（５）
図１４は、表示領域５００に表示されるキャラクタのさらに別の例を示す表示領域５００の画素の発光例の模式図である。
同図（ａ）（ｂ）（ｃ）は、表示部５０が備える複数の表示領域５００のうち、表示部５０の第１行と第３列とが交差する位置に配置された、出力系統「１」「２」と、入力系統「１」との接続状態を表示する表示領域５００の画素の発光例である。
【０１１９】
同図（ａ）は、出力系統「１」と入力系統「１」とが接続されている接続状態を示す。同図（ｂ）は、出力系統「２」と入力系統「１」とが接続されている接続状態を示す。同図（ｃ）は、出力系統「１」「２」と入力系統「１」とが接続されている接続状態を示す。
【０１２０】
以下の説明において、表示領域５００の画素の発光例は、図４と共に説明される。
【０１２１】
図１４（ａ）は、複数の画素Ｐ（画素Ｐ１−Ｐ４０）のうち、画素Ｐ１，Ｐ２，Ｐ３，Ｐ６，Ｐ７，Ｐ８，Ｐ１１，Ｐ１２，Ｐ１３，Ｐ１６，Ｐ１７，Ｐ１８，Ｐ２１，Ｐ２２，Ｐ２３，Ｐ２６，Ｐ２７，Ｐ２８，Ｐ３１，Ｐ３２，Ｐ３３，Ｐ３６，Ｐ３７，Ｐ３８は、発光しないことを示す。その他の画素Ｐ４，Ｐ５，Ｐ９，Ｐ１０，Ｐ１４，Ｐ１５，Ｐ１９，Ｐ２０，Ｐ２４，Ｐ２５，Ｐ２９，Ｐ３０，Ｐ３４，Ｐ３５，Ｐ３９，Ｐ４０は、発光する。
【０１２２】
図１４（ｂ）は、複数の画素Ｐ（画素Ｐ１−Ｐ４０）のうち、画素Ｐ３，Ｐ４，Ｐ５，Ｐ８，Ｐ９，Ｐ１０，Ｐ１３，Ｐ１４，Ｐ１５，Ｐ１８，Ｐ１９，Ｐ２０，Ｐ２３，Ｐ２４，Ｐ２５，Ｐ２８，Ｐ２９，Ｐ３０，Ｐ３３，Ｐ３４，Ｐ３５，Ｐ３８，Ｐ３９，Ｐ４０は、発光しないことを示す。その他の画素Ｐ１，Ｐ２，Ｐ６，Ｐ７，Ｐ１１，Ｐ１２，Ｐ１６，Ｐ１７，Ｐ２１，Ｐ２２，Ｐ２６，Ｐ２７，Ｐ３１，Ｐ３２，Ｐ３６，Ｐ３７は、発光する。
【０１２３】
図１４（ｃ）は、複数の画素Ｐ（画素Ｐ１−Ｐ４０）の全ての画素Ｐ１−Ｐ４０は、発光しないことを示す。
【０１２４】
このように、複数の画素Ｐ（画素Ｐ１−Ｐ４０）のうち、第３列に配列された画素Ｐは、入力系統１０に接続される出力系統２０が複数の出力系統２０のいずれであっても発光しない。一方、複数の画素Ｐ（画素Ｐ１−Ｐ４０）のうち、第１列−第２列に配列された画素Ｐ、または、第４列−第５列に配列された画素Ｐは、入力系統１０に接続される出力系統２０が複数の出力系統２０のうち一部の出力系統２０のときにのみ、発光しない。
【０１２５】
ここで、表示領域５００は、第１個別領域と第２個別領域との２つの個別領域を備える。第１個別領域は、画素Ｐ１，Ｐ２，Ｐ３，Ｐ６，Ｐ７，Ｐ８，Ｐ１１，Ｐ１２，Ｐ１３，Ｐ１６，Ｐ１７，Ｐ１８，Ｐ２１，Ｐ２２，Ｐ２３，Ｐ２６，Ｐ２７，Ｐ２８，Ｐ３１，Ｐ３２，Ｐ３３，Ｐ３６，Ｐ３７，Ｐ３８の集合である。第２個別領域は、画素Ｐ３，Ｐ４，Ｐ５，Ｐ８，Ｐ９，Ｐ１０，Ｐ１３，Ｐ１４，Ｐ１５，Ｐ１８，Ｐ１９，Ｐ２０，Ｐ２３，Ｐ２４，Ｐ２５，Ｐ２８，Ｐ２９，Ｐ３０，Ｐ３３，Ｐ３４，Ｐ３５，Ｐ３８，Ｐ３９，Ｐ４０の集合である。
【０１２６】
●まとめ
以上説明した実施の形態によれば、マトリクススイッチャ１は、入力系統１０と出力系統２０との接続状態ごとに異なる個別領域の組み合わせで構成されるキャラクタを表示部５０の表示領域５００に表示させることで、接続状態の視認性を高めている。すなわち、表示部５０が備える複数の表示領域５００のそれぞれは、制御部７０からの表示信号に基づき、１の入力系統１０と、２の出力系統それぞれと、の接続状態を表示する。つまり、２の出力系統のうち、第１出力系統（ＯＵＴＰＵＴの左側に設定された出力系統）との入力系統１０の接続は、表示領域５００の上部に黒塗りの矩形枠が配置されたキャラクタに対応する。つまり、入力系統１０が第１出力系統に接続されているとき、制御部７０は、第１個別領域が備える画素Ｐを発光させない。第２出力系統（ＯＵＴＰＵＴの右側に設定された出力系統）との入力系統１０の接続は、表示領域５００の下部に黒塗りの矩形枠が配置されたキャラクタに対応する。つまり、入力系統１０が第２出力系統に接続されているとき、制御部７０は、第２個別領域が備える画素Ｐを発光させない。すなわち、図６に示された３種類のキャラクタのいずれかが表示領域５００に表示されることで、ユーザは、２つの出力系統のうち、いずれが入力系統と接続しているかを視認できる。
【０１２７】
なお、以上説明された実施の形態は、表示部５０に配列された複数の表示領域の行ごとに、２の出力系統２０が設定されている。本発明においては、これに代えて、例えば、表示領域の行ごとに、３以上の出力系統が設定されてもよい。例えば、１の入力系統と３の出力系統との接続状態を１の表示領域に表示させる場合、７つの接続状態（いずれの出力系統とも接続していない状態は除く）のそれぞれに対応する７種類のキャラクタが事前に登録される。マトリクススイッチャは、接続状態に対応するキャラクタを表示領域に表示させて、ユーザに接続状態を視認させる。
【０１２８】
また、以上説明された実施の形態は、表示部５０に配列された複数の表示領域のそれぞれに、１の入力系統と複数の出力系統それぞれとの接続状態を表示する。本発明においては、これに代えて、表示領域のそれぞれには、複数の入力系統と１の出力系統とのそれぞれの接続状態が表示されてもよい。
この場合、表示部に表示される入力系統と出力系統との表示位置は、先に説明された実施の形態と入れ替わる。すなわち、この場合の表示部においては、先に説明された実施の形態の図５のＯＵＴＰＵＴに代えてＩＮＰＵＴ、図５の第３列目・第４列目・第５列目・・・は、出力系統「１」「２」「３」・・・が設定される。表示部における入力系統と出力系統との表示位置が入れ替わったとしても、入力系統と出力系統との接続状態ごとに登録されているキャラクタのいずれかを表示領域に表示することで、ユーザに接続状態を視認させる点は、先に説明された実施の形態と同様である。
つまり、出力系統と、複数の入力系統のうちの一部または全部の入力系統と、の接続状態を選択的に切り替えるマトリクススイッチャであって、以下の特徴を有する。
（特徴）
出力系統と、複数の入力系統のうちの一部または全部の前記入力系統と、の接続状態を選択的に切り替えるマトリクススイッチャであって、
前記接続状態ごとに設定された複数のキャラクタを記憶する記憶部と、
前記接続状態を選択的に切り替える切替部と、
前記切替部により切り替えられた前記接続状態に対応する前記入力系統と前記出力系統とを接続する接続部と、
複数の前記キャラクタのうち、前記接続部により接続された前記入力系統と前記出力系統との前記接続状態に対応するキャラクタを表示する表示部と、
前記切替部により切り替えられた前記接続状態に対応する前記キャラクタを、前記記憶部から読み出して前記表示部に表示させる表示制御部と、
を有してなり、
前記表示部は、前記キャラクタが表示される表示領域を備え、
前記表示領域は、複数の個別領域を備え、
前記個別領域は、複数の画素が配列された領域であり、
前記キャラクタは、複数の前記個別領域を組み合わせて構成され、
前記個別領域の組合せは、前記接続状態ごとに異なる、
ことを特徴とするマトリクススイッチャ。
【符号の説明】
【０１２９】
１，１Ｘ          マトリクススイッチャ
１０              入力系統
１０ａ            入力系統
１０ｂ            入力系統
２０              出力系統
２０ａ            出力系統
２０ｂ            出力系統
３０              切替部
４０              接続部
５０，５０Ｘ      表示部
５００，５００Ｘ  表示領域
６０              記憶部
７０              制御部（表示制御部）
１００            入力機器
１００ａ          入力機器
１００ｂ          入力機器
２００            出力機器
２００ａ          出力機器
２００ｂ          出力機器
Ｐ                画素
Ｐ１−Ｐ４０      画素
【要約】      （修正有）【課題】入力系統と出力系統との接続状態の視認性の高いマトリクススイッチャを提供する。【解決手段】マトリクススイッチャは、入力系統と出力系統との接続状態を選択的に切り替える切替部と、接続状態ごとに設定された複数のキャラクタを記憶する記憶部と、切り替えられた接続状態に対応するキャラクタを、記憶部から読み出して表示部５０に表示させる表示制御部と、を有する。表示部５０は、入力系統と出力系統との接続状態を示す。１行目の表示領域５００は、出力系統「１」「２」と、入力系統「１」−「８」と、の間の接続状態を示す。２行目の表示領域５００は、出力系統「３」「４」と、入力系統「１」−「８」と、の間の接続状態を示す。【選択図】図５【図１】
0006793992.tif 000002
【図２】
0006793992.tif 000003
【図３】
0006793992.tif 000004
【図４】
0006793992.tif 000005
【図５】
0006793992.tif 000006
【図６】
0006793992.tif 000007
【図７】
0006793992.tif 000008
【図８】
0006793992.tif 000009
【図９】
0006793992.tif 000010
【図１０】
0006793992.tif 000011
【図１１】
0006793992.tif 000012
【図１２】
0006793992.tif 000013
【図１３】
0006793992.tif 000014
【図１４】
0006793992.tif 000015
【図１５】
0006793992.tif 000016